(57)【要約】【課題】  複層階からなる住宅において、容易にシート状の遮蔽シートの取り替えができ、意匠性にすぐれた遮蔽シート設置構造を提供することを目的とする。【解決手段】  遮蔽シート設置構造１は、各階の上下同位置に屋外に面する床構造体３を設置し、少なくとも上階の床構造体３を片持ち構造で形成した複層階からなる住宅２の床構造体３に、シート状の遮蔽シート４を設置するための構造であって、上階の床構造体３の下部に設置され、遮蔽シート４を着脱自在に吊るす支持材５と、床構造体３の上面３１に間隔を空けて立設し、相対向する側面６１に遮蔽シート４の側端部を差込む溝状のガイドレール６ａを形成した一対の柱材６と、上階の床構造体３の下面３２端部に固定され、上階の床構造体３の下面３２からガイドレール６ａの上端までを屋外側から被覆する被覆材７と、を備える。【選択図】図３
2019203268.tif 000002
【特許請求の範囲】
【請求項１】
各階の上下同位置に屋外に面する床構造体を設置し、少なくとも上階の前記床構造体を片持ち構造で形成した複層階からなる住宅の前記床構造体に、シート状の遮蔽シートを設置するための遮蔽シート設置構造であって、
上階の前記床構造体の下部に設置され、前記遮蔽シートを着脱自在に吊るす支持材と、
下階の前記床構造体の上面に間隔を空けて立設し、相対向する側面に前記遮蔽シートの側端部を差込む溝状のガイドレールを形成した一対の柱材と、
上階の前記床構造体の下面端部に固定され、上階の前記床構造体の下面から前記ガイドレールの上端までを屋外側から覆う幕板材と、を備えることを特徴とする遮蔽シート設置構造。
【請求項２】
前記遮蔽シートは、回転機構を有する円柱状の芯材に昇降自在に巻き付けられることを特徴とする請求項１に記載の遮蔽シート設置構造。
【請求項３】
前記芯材は、両端面から軸方向へ延びる一対の差込穴を形成しており、
前記支持材は、互いに間隔を空けて水平方向へ延び、一対の前記差込穴に挿入されて前記芯材を支持する一対の差込棒を有することを特徴とする請求項２に記載の遮蔽シート設置構造。
【請求項４】
前記差込棒は、上方に回動可能であることを特徴とする請求項３に記載の遮蔽シート設置構造。
【請求項５】
前記幕板材は、上階の前記床構造体の下面に固定される固定部と、該固定部の屋外側の端縁から垂下り、上階の前記床構造体の下面から前記ガイドレールの上端までを被覆する幕板部と、該幕板部の下端から前記遮蔽シートの屋外側の面まで略水平方向へ延びる水平部と、を有することを特徴とする請求項１から請求項４のいずれかに記載の遮蔽シート設置構造。
【請求項６】
前記床構造体は、各階同一平面形状で形成され、
前記柱材は、各階の上下同位置に設置されることを特徴とする請求項１から請求項５のいずれかに記載の遮蔽シート設置構造。
【請求項７】
前記住宅は、各階同一平面形状で形成された集合住宅であることを特徴とする請求項１から請求項６のいずれかに記載の遮蔽シート設置構造。
【発明の詳細な説明】
【技術分野】
【０００１】
本発明は、複層階からなる住宅に形成された片持ちの床構造体に、シート状の遮蔽シートを設置するための遮蔽シート設置構造に関する。
【背景技術】
【０００２】
従来より、住宅のテラスやベランダにシート状のスクリーンを設置し、強い日差しや外部からの視線を遮る遮蔽装置が提案されている（例えば、特許文献１、特許文献２、特許文献３）。これらの遮蔽装置は、外壁面から突出する庇や上階の床構造体にスクリーンを支持させ、必要に応じてスクリーンを昇降させることで日差しや外部からの視線を遮ることができる。
【先行技術文献】
【特許文献】
【０００３】
【特許文献１】特開２００１−１８２２６５号公報
【特許文献２】特開２０１７−５３１０４号公報
【特許文献３】実用新案登録第３０８９９８０号公報
【発明の概要】
【発明が解決しようとする課題】
【０００４】
しかしながら、特許文献１から特許文献３に記載の発明では、構造が複雑なため設置されたスクリーンを居住者自身によって取り替えることが難しく、居住者は自身の好みや季節の変化に応じてスクリーンの種類を変えたい場合であっても、気軽にスクリーンを交換することができない。また、複層階からなる集合住宅などの場合、市販の簾や日よけスクリーンを住戸毎に個別設置すると外観上の統一性が失われ、雑多な印象の集合住宅となってしまう。
【０００５】
そこで、本発明は上述した課題を鑑みてなされたものであり、複層階からなる住宅において、シート状の遮蔽シートを居住者によって容易に取り替えることができるとともに、意匠性にすぐれた遮蔽シート設置構造を提供することを目的とする。
【課題を解決するための手段】
【０００６】
本発明の第１の遮蔽シート設置構造は、各階の上下同位置に屋外に面する床構造体を設置し、少なくとも上階の前記床構造体を片持ち構造で形成した複層階からなる住宅の前記床構造体に、シート状の遮蔽シートを設置するための遮蔽シート設置構造であって、上階の前記床構造体の下部に設置され、前記遮蔽シートを着脱自在に吊るす支持材と、下階の前記床構造体の上面に間隔を空けて立設し、相対向する側面に前記遮蔽シートの側端部を差込む溝状のガイドレールを形成した一対の柱材と、上階の前記床構造体の下面端部に固定され、上階の前記床構造体の下面から前記ガイドレールの上端までを屋外側から覆う幕板材と、を備えることを特徴としている。
【０００７】
本発明の第２の遮蔽シート設置構造は、前記遮蔽シートが、回転機構を有する円柱状の芯材に昇降自在に巻き付けられることを特徴としている。
【０００８】
本発明の第３の遮蔽シート設置構造は、前記芯材が、両端面から軸方向へ延びる一対の差込穴を形成しており、前記支持材は、互いに間隔を空けて水平方向へ延び、一対の前記差込穴に挿入されて前記芯材を支持する一対の差込棒を有することを特徴としている。
【０００９】
本発明の第４の遮蔽シート設置構造は、前記差込棒が、上方に回動可能であることを特徴としている。
【００１０】
本発明の第５の遮蔽シート設置構造は、前記幕板材が、上階の前記床構造体の下面に固定される固定部と、該固定部の屋外側の端縁から垂下り、上階の前記床構造体の下面から前記ガイドレールの上端までを被覆する幕板部と、該幕板部の下端から前記遮蔽シートの屋外側の面まで略水平方向へ延びる水平部と、を有することを特徴としている。
【００１１】
本発明の第６の遮蔽シート設置構造は、前記床構造体が、各階同一平面形状で形成され、前記柱材は、各階の上下同位置に設置されることを特徴としている。
【００１２】
本発明の第７の遮蔽シート設置構造は、前記住宅が、各階同一平面形状で形成された集合住宅であることを特徴としている。
【発明の効果】
【００１３】
本発明の第１の遮蔽シート設置構造によると、遮蔽シートは支持材に着脱自在に吊るされるので、居住者は、バルコニーやベランダなどの床構造体から自身の好みや季節に応じて遮蔽シートを交換することができ、快適な住環境を構築することができる。また、支持材に吊るされた遮蔽シートは、側端部を柱材のガイドレールに差し込まれるので柱材と遮蔽シートとの間にほとんど隙間を生じることがなく、花粉や粉塵などが遮蔽シートよりも屋内側へ侵入することを効果的に防止することができる。そして、幕板材は上階の床構造体の下面からガイドレールの上端までを屋外側から覆うので、住宅を屋外側から見た時に支持材や支持材と遮蔽シートとの接合部など雑多な部分が視認されず、住宅の外観の意匠性を損なうことがない。また、床構造体は、各階の上下同位置に形成されているので、上下階の床構造体同士を柱材が繋いでいるような印象的な外観の住宅を構築することができる。
【００１４】
本発明の第２の遮蔽シート設置構造によると、遮蔽シートは、回転機構を有する円柱状の芯材に昇降自在に巻き付けられるので、居住者は遮蔽シートを所望する位置まで上げ下ろしすることができ、利便性を向上させることができる。
【００１５】
本発明の第３の遮蔽シート設置構造によると、遮蔽シートを巻き付けられる芯材は、両端面に形成された差込穴に一対の差込棒を挿入されるだけで支持材に支持されるので、居住者は容易な動作を行うだけで遮蔽シートを支持材に装着することができる。
【００１６】
本発明の第４の遮蔽シート設置構造によると、差込棒は、上方に回動可能であるので、遮蔽シートの巻き付けられた芯材を支持材に装着する際は、差込棒の下方から芯材を上方へ移動させるだけで差込棒を差込穴に係止させることができ、反対に芯材を支持材から外す時は、芯材を上方へ移動させるだけで差込棒を差込穴から抜くことができる。したがって、容易な動作を行うだけで遮蔽シートを着脱することができ、居住者の利便性を向上させることができる。
【００１７】
本発明の第５の遮蔽シート設置構造によると、水平部は、幕板部の下端から遮蔽シートの屋外側の面まで略水平方向へ延びているので、幕板部と遮蔽シートとの間の隙間から花粉や粉塵、小さな虫などが屋内側へ侵入することを効果的に防止できる。
【００１８】
本発明の第６の遮蔽シート設置構造によると、床構造体は各階同一平面形状で形成され、また、柱材は、各階の上下同位置に設置されるので、バルコニーやベランダなどの床構造体が各階同一平面形状で形成された住宅の場合、外観に統一性を持たせるとともに特徴的な意匠とすることができる。
【００１９】
本発明の第７の遮蔽シート設置構造によると、住宅は、各階同一平面形状で形成された集合住宅であるので、外観に統一性を持たせるとともに特徴的な意匠とすることができ、単一的となりやすい集合住宅の外観に変化を持たせることができる。
【図面の簡単な説明】
【００２０】
【図１】遮蔽シート設置構造を示す斜視図。
【図２】遮蔽シート設置構造を示す断面図。
【図３】屋内側から見た遮蔽シート設置構造を示す断面図。
【図４】遮蔽シート設置構造を示す分解斜視図。
【図５】（ａ）は図２のＡ部拡大断面図を示し、（ｂ）は、水平部と補助幕板部を有する幕板材を示す断面図である。
【図６】遮蔽シートを巻き付けた芯材の着脱する様子を示す側面図。
【図７】支持材を示す断面図。
【図８】左右方向に複数の住戸を有する集合住宅を示す正面図。
【発明を実施するための形態】
【００２１】
以下、遮蔽シート設置構造の最良の実施形態について各図を参照しつつ説明する。遮蔽シート設置構造１は、図１に示すように、各階の上下同位置に屋外に面する床構造体３を設置した複層階からなる住宅２の床構造体３に、シート状の遮蔽シート４を設置するための構造であり、主に各階同一平面形状の集合住宅に好適に用いることができるが、床構造体３が各階の上下同位置に形成されていれば戸建住宅やその他の住宅であってもよい。本実施形態では、住宅２が、各階同一平面形状で形成された集合住宅である場合について説明する。
【００２２】
遮蔽シート設置構造１は、図１から図３に示すように、上階の床構造体３の下部に設置され、遮蔽シート４を着脱自在に吊るす支持材５と、下階の床構造体３の上面３１に間隔を空けて立設する一対の柱材６と、上階の床構造体３の下面３２の端部に固定され、上階の床構造体３の下面３２から柱材６の上端までを屋外側から覆う幕板材７と、を備えている。
【００２３】
図１に示す床構造体３は、ベランダやバルコニー、テラスなど屋外に面する水平方向へ突出する構造体で、２階以上の各階に位置する床構造体３は、住宅２内部に設置される図外の梁材などの構造材に一端のみを支持される片持ち構造で形成されている。床構造体３の構造は特に限定されず、鉄筋コンクリート造や鉄骨造、及び木造などで形成される。図１及び図２に示すように、下階の床構造体３の上面３１には、外壁２１に接する端部を除くその他の端部に手摺り３３及び柱材６が立設しており、手摺り３３の上端と上階の床構造体３の下面３２との間は開放されている。
【００２４】
図１に示す遮蔽シート４は、シート状の面材で、図示例では強い日差しの熱や光を遮る遮熱性及び遮光性に優れたスクリーン状の面材としているが、その他にも簾やネットのように通風を確保できる面材や、透光性や可視性を確保するとともに花粉や粉塵、小さな虫などが浸入することを防止する透明なビニル面材などでもよく、居住者は、自身の好みや季節に応じて所望する面材を選択することができる。また、ネット状の面材とした場合は、屋内側への浸入を防止したい対象物の大きさに応じてネットの目の粗さを可変してもよい。
【００２５】
また遮蔽シート４は、図４及び図５に示すように、予め円柱状の芯材８にロール状に巻かれており、遮蔽シート４を別の種類の遮蔽シート４に交換する際は芯材８ごと取り替えることができる。芯材８は、図４に示すように、両端面から軸方向へ延びる一対の差込穴８ａを有し、また、一端部には従来公知のチェーン式の回転機構８ｂが巻き付けられており、回転機構８ｂに垂れ下がったチェーン８ｃを操作することにより、回転機構８ｂを介して芯材８を回転させることができ、この芯材８を正回転又は逆回転させることによって、遮蔽シート４を昇降させることができる。なお、回転機構８ｂは必ずしもチェーン式とする必要はなく、例えば、芯材８の内部に従来公知のスプリング式の回転機構８ｂを設置しておき、遮蔽シート４の下端にウェイトバーを設けてウェイトバーの端部に垂下がるコードを操作することで遮蔽シートを昇降するようにしてもよい。また、同様の効果が得られるものであれば他の機構を用いてもよい。
【００２６】
図３から図５に示す支持材５は、上階の床構造体３の下部に設置される部材で、本実施形態では各柱材６の上端にそれぞれ固定されており、図４及び図５に示すように、柱材６の上端に固定される基部５ａと、基部５ａから対向する支持材５に向けて水平方向に延び、前記差込穴８ａに挿入される差込棒５ｂと、から構成されている。基部５ａは、柱材６よりも断面形状が小さく、柱材６の上端に屋外側に寄せて固定されている。なお、支持材５は、上階の床構造体３の下部に設置されていれば必ずしも柱材６に固定される必要はなく、幕板材７に固定されていてもよいし、上階の床構造体３に固定されてもよい。
【００２７】
図６及び図７（ａ）に示すように、差込棒５ｂは上方向へ回動可能に基部５ａに連結されており、基部５ａ内部には、差込棒５ｂを回動させるための従来公知の回動機構５ｃが設けられている。図７に示すように、回動機構５ｃは、差込棒５ｂが上方向へ回動した際に差込棒５ｂを収納する凹溝状の収納部５ｄと、収納部５ｄの両側面から突出し、差込棒５ｂの両側面に設けられた穴５ｅに挿入されて差込棒５ｂを回動可能に支持する支持棒５ｆと、一端を差込棒５ｂの基端部に連結された可撓性を有する引張材５ｇと、引張材５ｇの他端と連結され、引張方向へ付勢されたコイルバネ５ｈと、からなる。通常時、差込棒５ｂは、水平方向に向けられた状態で収納部５ｄの下端部に設けられた支持棒５ｆを穴５ｅに係止させている。この状態で差込棒５ｂの先端部に上方向の力を加えると、差込棒５ｂが上方向へ回動するとともに引張材５ｇとコイルバネ５ｈとが引張力を受ける。そして、差込棒５ｂに加えた力を抜くと、コイルバネ５ｈの付勢力で差込棒５ｂは再び水平方向を向く。なお、差込棒５ｂは、必ずしも上方向へ回動可能とする必要はなく、常時、水平方向を向いた状態で基部５ａに固定されていてもよい。その場合は、差込棒５ｂに係止した芯材８を左右方向へ摺動させて差込棒５ｂから抜けるよう差込棒５ｂの長さを調整して形成することができる。
【００２８】
図１から図３に示すように、柱材６は、上面３１の端部に間隔を空けて立設する上下方向に長尺な部材で、各階の上下同位置に設置されている。図４に示すように、柱材６は手摺３３内に納まるように立設され、互いに隣り合う一対の柱材６は、相対向する第１側面６１に柱材６の上端から手摺３３の上端まで上下方向へ延びる溝状のガイドレール６ａを形成されており、このガイドレール６ａに遮蔽シート４の側端部を差込むことができる。図示するように、柱材６を遮蔽シート４の幅に応じて複数本立設する場合や、下階の床構造体３の角部に柱材６を立設する場合は、相対向する柱材６に面するそれぞれの第１側面６１にガイドレール６ａを形成する。また、図５に示すように、ガイドレール６ａは、芯材８に巻き付けられた遮蔽シート４を昇降する際に、遮蔽シート４の側端部が溝に差し込まれるよう左右方向の位置を調整して第１側面６１に設けられている。なお、柱材６は、手摺３３よりも屋内側に立設させてもよく、その場合は、ガイドレール６ａを柱材６の上端から下端まで形成し、遮蔽シート４を下階の床構造体３の上面３１まで降ろしてもよい。なお、柱材６は、上端部を上階の床構造体３に固定支持されることが望ましいが、上階の床構造体３を支持するための構造材ではないため、必ずしも固定される必要はない。
【００２９】
図４及び図５（ａ）に示すように、幕板材７は、上階の床構造体３の下面３２に設置される部材で、下面３２の端部に固定される長尺な板状の固定部７１と、固定部７１の屋外側の端縁から垂下がる長尺な板状の幕板部７２と、を有している。図１及び図５に示すように、幕板部７２は、上階の床構造体３の角〜角間の距離と略同一の長さを有し、上階の床構造体３の下面３２から柱材６のガイドレール６ａの上端までの長さと略同一の高さを有している。すなわち、幕板材７を上階の床構造体３の下面３２に設置すると、幕板部７２が下面３２からガイドレール６ａの上端までを屋外側から覆うので、下面３２と遮蔽シート４との間の隙間から屋内側へ侵入する花粉や粉塵の量を低減することができる。さらに、図５（ｂ）に示すように、幕板部７２の下端から遮蔽シート４の屋外側の面まで略水平方向へ延びる水平部７３を設けておけば、幕板部７２と遮蔽シート４との間の隙間を閉塞できるので、より効果的に花粉や粉塵の屋内側への侵入を防止することができる。
【００３０】
また、幕板部７２を設けることにより、住宅２を屋外側から見る際に支持材５や支持材５と遮蔽シート４との接合部など雑多な部分が隠蔽されるので、住宅２の外観の意匠性を損なうことがない。さらに、図５（ｂ）に示すように、固定部７１の屋内側の端縁から垂下る補助幕板部７４を固定部７１に回動可能に固定するとともに補助幕板部７４の屋内側の面にフックを設置しておき、補助幕板部７４の下端部を上階の床構造体３の下面３２へ近接するように回動させ、フックを下面３２に係止するようにしてもよい。このような補助幕板部７４を設けることで、遮蔽シート４を着脱する時以外は屋外側からも支持材５と遮蔽シート４との接合部を視認することがないので、通常時において、下階の床構造体３に滞在する居住者に雑多な印象を与えることがない。
【００３１】
次に、遮蔽シート４の着脱方法と使い勝手について説明する。まず、居住者は自身の好みや季節などに応じて所望する遮蔽シート４を選択する。図４に示すように、遮蔽シート４は予め芯材８に巻き付けられており、居住者は脚立や椅子などの上に登って芯材８を支持材５に装着することができる。芯材８を装着する際は、図６（ａ）に示すように、遮蔽シート４を巻き付けられた芯材８の上端を支持材５の差込棒５ｂの下端部に当接し、先述したコイルバネ５ｈの弾性力に抗して差込棒５ｂを上方へ回動させる。そして、差込棒５ｂを差込穴８ａに挿入して差込棒５ｂの先端部が差込穴８ａの内周面に当接すると、図６（ｂ）に示すように、差込棒５ｂはコイルバネ５ｈの付勢力によって再び水平方向を向き、芯材８を差込棒５ｂに装着することができる。
【００３２】
このように装着された遮蔽シート４は、芯材８のチェーン８ｃを操作して手摺３３の上端までの任意の位置に降ろすことができる。このとき、図３及び図５に示すように、遮蔽シート４の側端部は、柱材６のガイドレール６ａに差し込まれており、また、幕板部７２を設けているので、柱材６と遮蔽シート４との間、下面３２と遮蔽シート４との間から花粉や粉塵が屋内側へ侵入することを防止できる。また遮蔽シート４は、簡単に柱材６から取り外すことができる。すなわち、芯材８のチェーン８ｃで遮蔽シート４を上方へ巻き上げ、脚立や椅子に登り、図６（ｃ）に示すように、遮蔽シート４を巻き付けられた芯材８を上方へ持ち上げて差込棒５ｂを上方へ回動させ、差込棒５ｂから芯材８を抜くだけでよい。
【００３３】
このように、構成される遮蔽シート設置構造１は、容易に遮蔽シート４を着脱できるので、居住者は自身のライフスタイルに応じた遮蔽シート４を自由に設置することができ、快適な住環境を構築することができる。また、柱材６が各階の上下同位置に設けられるので、各戸が異なる種類の遮蔽シート４を選択したとしても統一性のある外観を有した住宅２とすることができる。そして、幕板部７２が上階の床構造体３の下面３２から柱材６のガイドレール６ａの上端までを被覆しているので、遮蔽シート４と支持材５２との接合部などの雑多な部分が住宅２の外部から視認されることはなく、住宅２の外観の意匠性を向上させることができる。
【００３４】
なお、本実施形態では、図１に示すように、１階の床構造体３を地盤面に当接させているが、他階同様片持ち構造の床構造体３としてもよい。また、図示例では各階の床構造体３に手摺３３を設けているが、１階の床構造体３は、手摺３３を設置しない屋外床としてもよい。さらに、遮蔽シート４は、必ずしも芯材８に巻き付けられている必要はなく、市販のシート面材の上端にフックなどの差込棒５ｂに引掛けられる引掛材を取付けておき、シート面材を巻いてフックを差込棒５ｂに掛けて吊っておいてもよい。このように、遮蔽シート４として各戸ごとに異なる市販のシート面材を使用したとしても、本発明の遮蔽シート設置構造１は、柱材６及び幕板材７を備えているので、住宅２の外観が雑多なものになることはない。
【００３５】
また図８に示すように、住宅２は、各階同一平面形状の住戸を左右方向に複数形成した集合住宅としてもよい。そうすることによって、各住戸同士の床構造体３を統一感のある外観とすることができ、住宅２を特徴的で意匠性の高い外観とすることができる。
【００３６】
本発明の実施の形態は上述の形態に限ることなく、本発明の思想の範囲を逸脱しない範囲で適宜変更することができる。
【産業上の利用可能性】
【００３７】
本発明に係る遮蔽シート設置構造は、集合住宅のベランダやバルコニーにおいて好適に使用することができる。
【符号の説明】
【００３８】
１      遮蔽シート設置構造
２      住宅
３      床構造体
３１    上面
３２    下面
４      遮蔽シート
５      支持材
５ｂ    差込棒
６      柱材
６１    第１側面（側面）
６ａ    ガイドレール
７      幕板材
７１    固定部
７２    幕板部
７３    水平部
８      芯材
【図１】
2019203268.tif 000003
【図２】
2019203268.tif 000004
【図３】
2019203268.tif 000005
【図４】
2019203268.tif 000006
【図５】
2019203268.tif 000007
【図６】
2019203268.tif 000008
【図７】
2019203268.tif 000009
【図８】
2019203268.tif 000010